(57)【要約】  本出願の実施形態は、ユーザデータ共有方法及び装置を開示している。方法は、取得されたクエリ媒体の情報に従って、少なくとも一つの関係付けられたユーザアカウント及び少なくとも一つのユーザアカウントの関係情報をクエリするステップと、クエリを通じて取得された情報を使用することにより、ローカル媒体ネットワークを構築するステップと、ローカル媒体ネットワークを使用することにより、少なくとも一つのユーザアカウントから信頼可能なアカウントを判定するステップと、信頼可能なアカウントのユーザデータを取得するステップと、ユーザデータを共有するように、信頼可能なアカウントのユーザデータをクエリ媒体の情報に対応するユーザデータとして出力するステップと、を有する。従って、同一のユーザエンティティとの関係におけるユーザ活動情報が、異なるサービスプラットフォームの間において伝達され、且つ、ユーザ活動情報が共有される。
2019504393.tif 000002
【特許請求の範囲】
【請求項１】
ユーザデータ共有方法であって、
クエリ媒体の情報を取得するステップと、
前記クエリ媒体の前記情報に従って、前記クエリ媒体に関係付けられた少なくとも一つのユーザアカウント及び前記少なくとも一つのユーザアカウントの関係情報を媒体ネットワークからサーチ及び取得するステップであって、前記ユーザアカウントの前記関係情報は、前記ユーザアカウントと前記クエリ媒体との間の関係の強度及び前記ユーザアカウントとその他のユーザアカウントとの間の関係の強度を有する、ステップと、
前記取得された少なくとも一つのユーザアカウント及び前記少なくとも一つのユーザアカウントの関係情報を使用することにより、ローカル媒体ネットワークを構築するステップであって、前記ローカル媒体ネットワーク内のエッジは、媒体とユーザアカウントとの間の関係及び前記ユーザアカウントと前記その他のユーザアカウントとの間の関係を有し、且つ、エッジ重みは、関係強度スコアである、ステップと、
前記ローカル媒体ネットワークを使用することにより、前記少なくとも一つのユーザアカウントから信頼可能なアカウントを判定するステップと、
前記ユーザデータを共有するように、前記信頼可能なアカウントのユーザデータを取得し、且つ、前記信頼可能なアカウントの前記ユーザデータを前記クエリ媒体の前記情報に対応する前記ユーザデータとして出力するステップと、
を有する方法。
【請求項２】
前記ローカル媒体ネットワークを使用することにより、前記少なくとも一つのユーザアカウントから信頼可能なアカウントを判定する前記ステップは、
前記ローカル媒体ネットワークを使用することにより、前記少なくとも一つのユーザアカウントに対して混合ソートを実行すると共に、前記ソート済みのユーザアカウントの最初のＮ個を信頼可能なアカウントとして判定するステップであって、Ｎは正の整数である、ステップ、
を有する、請求項１に記載の方法。
【請求項３】
前記ローカル媒体ネットワークを使用することにより、前記少なくとも一つのユーザアカウントに対して混合ソートを実行する前記ステップは、
前記ローカル媒体ネットワーク内の前記すべてのエッジのエッジ重みを正規化するステップと、
収束する時点まで、前記正規化済みのエッジ重みに対して反復計算を実行するステップと、
前記収束の後に、前記エッジ重みを使用することにより、それぞれのユーザアカウントの総合重み又はそれぞれのクエリ媒体の総合重みを計算するステップと、
前記すべてのユーザアカウントの総合重み又はすべてのクエリ媒体の総合重みに従って前記少なくとも一つのユーザアカウント又はすべてのクエリ媒体をソートすることにより、信頼可能なアカウント又は信頼可能な媒体を判定するステップと、
を有する、請求項２に記載の方法。
【請求項４】
前記ローカル媒体ネットワーク内の前記すべてのエッジのエッジ重みを正規化する前記ステップは、
それぞれ、第一の予め規定された回数内における、前記クエリ媒体の前記情報と対応するユーザアカウントの間のオリジナルのエッジ重みの変化レート及びユーザアカウントの間のオリジナルのエッジ重みの変化レートを取得するステップと、
前記変化レートに従って、前記クエリ媒体の前記情報と対応するユーザアカウントの間の前記オリジナルのエッジ重みに対して、且つ、前記ユーザアカウントの間のオリジナルのエッジ重みに対して、エッジ重み情報正規化動作を実行するステップと、
を有する、請求項３に記載の方法。
【請求項５】
収束する時点まで前記正規化済みのエッジ重みに対して反復計算を実行する前記ステップは、
前記エッジ重み正規化動作から取得された前記クエリ媒体の前記情報と対応するユーザアカウントの間の前記エッジ重み及びユーザアカウントの間のエッジ重みに従って反復計算動作を実行することにより、それぞれ、前記ユーザアカウントと前記クエリ媒体の前記対応する情報との間のエッジ重み及び前記ユーザアカウントの間のエッジ重みを判定するステップと、
第一の予め設定された回数の反復計算動作が実行された後に、それぞれ、前記ユーザアカウントと前記クエリ媒体の対応する情報との間の新しいエッジ重みの第一の値の変化及び前記ユーザアカウントの間のエッジ重みの第二の値の変化を取得するステップと、
前記第一の値の変化及び前記第二の値の変化の合計が、予め設定された第一の合計閾値を下回っているかどうかを判定するステップと、
はいである場合に、前記反復計算動作を停止するステップと、
いいえである場合に、前記反復計算動作を継続するステップと、
を有する、請求項３に記載の方法。
【請求項６】
クエリ媒体の情報を取得する前記ステップは、
少なくとも二つのクエリ媒体の情報を取得するステップを有し、
前記クエリ媒体の前記情報に従って、前記クエリ媒体に関係付けられた少なくとも一つのユーザアカウント及び前記少なくとも一つのユーザアカウントの関係情報を媒体ネットワークからサーチ及び取得する前記ステップは、
それぞれ、前記少なくとも二つのクエリ媒体の情報を使用することにより、前記対応するクエリ媒体に関係付けられたユーザアカウント及び前記ユーザアカウントの関係情報を媒体ネットワークからサーチ及び取得するステップを有する、
請求項１に記載の方法。
【請求項７】
それぞれ、前記少なくとも二つのクエリ媒体の情報を使用することにより、前記対応するクエリ媒体に関係付けられたユーザアカウント及び前記ユーザアカウントの関係情報を媒体ネットワークからサーチ及び取得する前記ステップの後に、前記方法は、
前記少なくとも二つのクエリ媒体の情報が、同一のユーザアカウントに属しているかどうかを判定するステップと、
はいである場合に、前記判定されたユーザアカウントを信頼可能なアカウントとして使用するステップと、
さもなければ、前記取得された少なくとも一つのユーザアカウント及び前記少なくとも一つのユーザアカウントの前記関係情報を使用することにより、ローカル媒体ネットワークを構築するステップと、
を更に有する、請求項６に記載の方法。
【請求項８】
前記媒体ネットワークは、ユーザアカウントの間の関連付け関係及びユーザアカウントと媒体との間の関連付け関係を有するネットワークであり、且つ、
前記媒体ネットワークは、任意のユーザアカウントの間の関係の強度及びユーザアカウントと媒体との間の関係の強度を有する、
請求項１に記載の方法。
【請求項９】
前記媒体ネットワークを構築する方法は、
前記ユーザアカウントと前記媒体との間の同一発生関係に従って、前記ユーザアカウントと前記媒体との間の前記関係の前記強度を判定するステップと、
ユーザの間の関係に従ってユーザアカウントの間の前記関係の前記強度を判定するステップであって、ユーザの間の前記関係は、ユーザの間における社会関係、取引関係、共有装置関係、及び共有媒体関係を有する、ステップと、
を有する、請求項８に記載の方法。
【請求項１０】
ネットワーク装置であって、
クエリ媒体の情報を取得するように構成された取得モジュールと、
前記取得モジュールによって取得された前記クエリ媒体の前記情報に従って、前記クエリ媒体に関係付けられた少なくとも一つのユーザアカウント及び前記少なくとも一つのユーザアカウントの関係情報を媒体ネットワークからサーチ及び取得するように構成されたクエリモジュールであって、前記ユーザアカウントの前記関係情報は、前記ユーザアカウントと前記クエリ媒体との間の関係の強度及び前記ユーザアカウントとその他のユーザアカウントとの間の関係の強度を有する、クエリモジュールと、
前記クエリモジュールによって取得された前記少なくとも一つのユーザアカウント及び前記少なくとも一つのユーザアカウントの関係情報を使用することにより、ローカル媒体ネットワークを構築するように構成された構築モジュールであって、前記ローカル媒体ネットワーク内のエッジは、媒体とユーザアカウントとの間の関係及び前記ユーザアカウントと前記その他のユーザアカウントとの間の関係を有し、且つ、エッジ重みは、関係強度スコアである、構築モジュールと、
前記ローカル媒体ネットワークを使用することにより、前記少なくとも一つのユーザアカウントから信頼可能なアカウントを判定するように構成された判定モジュールと、
前記ユーザデータを共有するように、前記信頼可能なアカウントのユーザデータを取得し、且つ、前記信頼可能なアカウントの前記ユーザデータを前記クエリ媒体の前記情報に対応する前記ユーザデータとして出力するように構成された処理モジュールと、
を有する装置。
【請求項１１】
前記判定モジュールは、
前記ローカル媒体ネットワークを使用することにより、前記少なくとも一つのユーザアカウントに対して混合ソートを実行すると共に前記ソート済みのユーザアカウントの最初のＮ個を信頼可能なアカウントとして判定するように構成されており、この場合に、Ｎは、正の整数である、請求項１０に記載の装置。
【請求項１２】
前記判定モジュールは、
前記ローカル媒体ネットワーク内の前記すべてのエッジのエッジ重みを正規化するように構成された正規化ユニットと、
収束する時点まで、前記正規化ユニットによって正規化された前記エッジ重みに対して反復計算を実行するように構成された反復ユニットと、
前記反復ユニットによる前記収束の後に、前記エッジ重みを使用することにより、それぞれのユーザアカウントの総合重み及びそれぞれのクエリ媒体の総合重みを算出するように構成された計算ユニットと、
前記計算ユニットによって算出された前記すべてのユーザアカウントの総合重み又はすべてのクエリ媒体の総合重みに従って前記少なくとも一つのユーザアカウント又はすべてのクエリ媒体をソートすることにより、信頼可能なアカウント又は信頼可能な媒体を判定するように構成されたソートユニットと、
を有する、請求項１１に記載の装置。
【請求項１３】
前記取得モジュールは、少なくとも二つのクエリ媒体の情報を取得するように構成され、
前記クエリモジュールは、それぞれ、前記少なくとも二つのクエリ媒体の情報を使用することにより、前記対応するクエリ媒体に関係付けられたユーザアカウント及び前記ユーザアカウントの関係情報を媒体ネットワークからサーチ及び取得するように構成されている、請求項１０に記載の装置。
【請求項１４】
前記構築モジュールは、
前記少なくとも二つのクエリ媒体の情報が、同一のユーザアカウントに属しているかどうかを判定し、
はいである場合に、前記判定されたユーザアカウントを信頼可能なアカウントとして使用し、且つ、
さもなければ、前記取得された少なくとも一つのユーザアカウント及び前記少なくとも一つのユーザアカウントの前記関係情報を使用することにより、ローカル媒体ネットワークを構築する、
ように構成されている、請求項１３に記載の装置。
【発明の詳細な説明】
【技術分野】
【０００１】
本出願は、２０１５年１２月１日付けで出願されると共に「User Data Sharing Method and Device」という名称を有する中国特許出願第201510866768.1号の優先権を主張するものであり、この特許文献の内容は、引用により、そのすべてが本明細書において包含される。
【０００２】
本出願は、コンピュータ技術の分野に関し、且つ、更に詳しくは、ユーザデータ共有方法及び装置に関する。
【背景技術】
【０００３】
インターネット及び情報化の進展に伴って、ユーザは、オンラインショッピング、オンライン活動、金融サービス、保険サービス、及びこれらに類似したものなどの日々の仕事を実施する際に、異なるサービスプラットフォームにおいて情報を適用することになろう。又、これらのサービスを実行する際には、相応して、異なるサービスプラットフォームが、サービス実行記録及びそれらから導出されたユーザ活動情報を含む、ユーザ情報を記録及び蓄積することにもなろう。
【０００４】
異なるタイプのサービスプラットフォームは、それぞれ、ユーザデータ情報を異なる態様において常に蓄積している。例えば、いくつかのｅコマースプラットフォームのサービスプラットフォームは、ユーザのショッピング及び消費情報を常に収集しており、いくつかのその他のサーチエンジンのサービスプラットフォームは、ユーザのサーチ情報を常に収集している一方で、いくつかのその他の金融管理プラットフォームのサービスプラットフォームは、ユーザの預金及び金融管理情報を収集している。同一のユーザエンティティが、異なる情報を収集する異なるタイプのサービスプラットフォームのウェブサイト上において異なるアカウントを有することになろう。異なるサービスプラットフォーム上において同一ユーザのユーザ情報を関連付ける方法、異なるサービスプラットフォームの間においてユーザデータを伝達する方法、及びユーザ活動情報の共有を実現する方法は、非常に有益であるが、いまだ、その実行は非常に困難である。
【０００５】
但し、ユーザ認識、情報のやり取り、分類された統計、及びこれらに類似したものなどのいくつかのハードルの存在に起因して、現時点の技術においては、ユーザ活動情報を共有するべく、同一ユーザエンティティとの関係におけるユーザ活動情報を異なるサービスプラットフォームの間において伝達することができる解決策が存在してはいない。
【０００６】
従って、現時点の技術においては、ユーザ活動情報を共有するべく、同一ユーザエンティティとの関係におけるユーザ活動情報を異なるサービスプラットフォームの間において伝達できる解決策を見出すという緊急なニーズが存在している。
【発明の概要】
【０００７】
本出願の実施形態は、同一ユーザエンティティとの関係におけるユーザ活動情報を異なるサービスプラットフォームの間において伝達すると共にユーザ活動情報を共有するユーザデータ共有方法及び装置を提供している。
【０００８】
上述の目的を実現するべく、ユーザデータ共有方法は、クエリ媒体の情報を取得するステップと、クエリ媒体の情報に従って、クエリ媒体に関係付けられた少なくとも一つのユーザアカウント及び少なくとも一つのユーザアカウントの関係情報を媒体ネットワークからサーチ及び取得するステップであって、ユーザアカウントの関係情報は、ユーザアカウントとクエリ媒体との間の関係の強度及びユーザアカウントとその他のユーザアカウントとの間の関係の強度を有する、ステップと、取得された少なくとも一つのユーザアカウント及び少なくとも一つのユーザアカウントの関係情報を使用することにより、ローカル媒体ネットワークを構築するステップであって、ローカル媒体ネットワーク内のエッジは、媒体とユーザアカウントとの間の関係及びユーザアカウントとその他のユーザアカウントとの間の関係を有し、且つ、エッジ重みは、関係強度スコアである、ステップと、ローカル媒体ネットワークを使用することにより、少なくとも一つのユーザアカウントから信頼可能なアカウントを判定するステップと、ユーザデータを共有するように、信頼可能なアカウントのユーザデータを取得し、且つ、信頼可能なアカウントのユーザデータをクエリ媒体の情報に対応するユーザデータとして出力するステップと、を有する。
【０００９】
ネットワーク装置は、クエリ媒体の情報を取得するように構成された取得モジュールと、取得モジュールによって取得されたクエリ媒体の情報に従って、クエリ媒体に関係付けられた少なくとも一つのユーザアカウント及び少なくとも一つのユーザアカウントの関係情報を媒体ネットワークからサーチ及び取得するように構成されたクエリモジュールであって、ユーザアカウントの関係情報は、ユーザアカウントとクエリ媒体との間の関係の強度及びユーザアカウントとその他のユーザアカウントとの間の関係の強度を有する、クエリモジュールと、クエリモジュールによって取得された少なくとも一つのユーザアカウント及び少なくとも一つのユーザアカウントの関係情報を使用することにより、ローカル媒体ネットワークを構築するように構成された構築モジュールであって、ローカル媒体ネットワーク内のエッジは、媒体とユーザアカウントとの間の関係及びユーザカウントとその他のユーザアカウントとの間の関係を有し、且つ、エッジ重みは、関係強度スコアである、構築モジュールと、ローカル媒体ネットワークを使用することにより、少なくとも一つのユーザアカウントから信頼可能なアカウントを判定するように構成された判定モジュールと、ユーザデータを共有するように、信頼可能なアカウントのユーザデータを取得し、且つ、信頼可能なアカウントのユーザデータをクエリ媒体の情報に対応するユーザデータとして出力するように構成された処理モジュールと、を有する。
【００１０】
従来技術との比較において、本出願の実施形態は、本出願の実施形態がユーザデータ共有方法及び装置を開示しているという利点を少なくとも有する。方法は、取得されたクエリ媒体の情報に従って、少なくとも一つの関係付けられたユーザアカウント及び少なくとも一つの関係付けられたユーザアカウントの関係情報をクエリするステップと、クエリを通じて取得された情報を使用することにより、ローカル媒体ネットワークを構築するステップと、ローカル媒体ネットワークを使用することにより、少なくとも一つのユーザアカウントから信頼可能なアカウントを判定するステップと、信頼可能なアカウントのユーザデータを取得するステップと、ユーザデータを共有するように、信頼可能なアカウントのユーザデータをクエリ媒体の情報に対応するユーザデータとして出力するステップと、を有する。従って、同一のユーザエンティティとの関係におけるユーザ活動情報を異なるサービスプラットフォーム間において伝達することが可能であり、且つ、ユーザ活動情報を共有することができる。
【図面の簡単な説明】
【００１１】
【図１】図１は、本出願の実施形態Ｉによるユーザデータ共有方法のフローチャートである。
【図２】図２は、本出願の実施形態Ｉによるローカル媒体ネットワークの概略構造図である。
【図３】図３は、本出願の実施形態IIによるネットワーク装置の概略構造図である。
【発明を実施するための形態】
【００１２】
以下、本出願の添付図面を参照し、本出願の技術的解決策について明瞭且つ十分に説明することとする。記述されている実施形態は、本出願の実施形態のうちの、すべてではなく、いくつかであるに過ぎないことが明らかである。本出願の実施形態に基づいて、且つ、発明の努力を伴うことなしに、当業者が取得可能であるすべてのその他の実施形態も、本出願の範囲に含まれている。
【００１３】
異なるサービスプラットフォームのすべてのデータベースは、ユーザのなんらかの身元情報（例えば、ユーザのセル電話番号、ＩＤ番号、銀行カード、及びこれらに類似したもの）及び環境情報（即ち、使用されたＩＰ、ＷＩＦＩ、ＭＡＣ、ＩＭＥＩ、及びこれらに類似したもの）を記録することができる。身元情報及び環境情報は、媒体情報と集合的に呼称することができる。同一のユーザが同一の媒体情報を異なるサービスプラットフォームに提供していることから、媒体情報を使用することにより、データを伝達することができる。所謂、データの伝達とは、異なるサービスプラットフォームのデータベースによって収集された同一ユーザとの関係におけるユーザ活動情報が、上述の同一媒体情報に基づいて、異なるサービスプラットフォームのデータベースから取得され、その結果、ユーザ活動情報のデータ共有が実現されることを意味している。
【００１４】
単一の媒体を通じてユーザサーチは、相対的に低い精度を有する。具体的には、ＩＰ、ＭＡＣ、並びに、場合によっては、セル電話機などの、なんらかの公的な媒体情報を使用することにより、多くのアカウントを取得することができるが、これらのアカウントは、必ずしも、同一のユーザに属してはいない。従って、このような単一の媒体情報片を使用することにより、いくつかのアカウントを取得し得るにも拘らず、これらのアカウントは、同一のユーザに属していない場合があり、従って、取得されたユーザ活動情報が、異なるユーザからのものであり得る。このような方式によって取得されたデータは、低い精度しか有しておらず、その結果、異なるサービスプラットフォームのデータベースによって収集された同一ユーザのユーザ活動情報の共有が不可能となる。
【００１５】
ここで、ユーザ活動情報は、例えば、ユーザのショッピング情報、ユーザのサーチ情報、及びユーザの預金情報を有することができる。
【００１６】
更には、多くのサービスシナリオの場合には、精度が非常に重要であり、且つ、一般に、豊富な媒体情報が存在している。従って、相対的に良好な解決策は、相対的に良好にユーザについてサーチする又はユーザをロックするべく、複数の媒体情報片を使用可能である必要がある。
【００１７】
本出願の実施形態による技術的解決策は、同一ユーザをロックするべく、複数の媒体情報片を使用している。ユーザをロックするべく、複数の媒体情報片が使用される際には、媒体情報片がユーザに属していることが確認される。更には、次いで、異なるサービスプラットフォーム上におけるユーザの異なるアカウントのみならず、対応するサービスプラットフォームのデータベース内において収集された対応するアカウントのユーザ活動情報を取得するように、即ち、異なるサービスプラットフォーム上において同一のユーザのユーザ活動情報を取得するように、同一のユーザに属するこれらの媒体情報片を使用することにより、異なるサービスプラットフォーム上における異なるアカウントをマッチングさせている。
【００１８】
上述の処理を通じて、すべてのサービスプラットフォームは、異なるサービスプラットフォームのデータベース内において収集された同一ユーザのユーザ活動情報を共有することができる。例えば、同一ユーザｕに属する媒体情報を使用することにより、サービスプラットフォームａ、サービスプラットフォームｂ、及びプラットフォームｃ上における対応するアカウントをマッチングさせることが可能であり、即ち、サービスプラットフォームａ、サービスプラットフォームｂ、及びサービスプラットフォームｃ上においてユーザｕのアカウントを探すことが可能であり、且つ、次いで、サービスプラットフォームａ、サービスプラットフォームｂ、及びサービスプラットフォームｃのデータベース内において収集された取得済みのアカウントのユーザ活動情報を取得することができる。この結果、サービスプラットフォームａ、サービスプラットフォームｂ、及びサービスプラットフォームｃ上におけるユーザｕのユーザ活動情報を取得することが可能であり、且つ、ユーザ活動情報は、サービスプラットフォームａ、サービスプラットフォームｂ、及びサービスプラットフォームｃの間において共有される。
【００１９】
図１は、本出願の実施形態Ｉによるユーザデータ共有方法のフローチャートである。一例においては、方法は、以下のステップを有する。
【００２０】
ステップＳ１０１：クエリ媒体の情報を取得する。
【００２１】
媒体は、二つの関係者（例えば、人物又はエンティティ）を関係付けている人物又はエンティティを意味している。一般的な媒体は、アカウント、ＩＤ、セル電話、メールボックス、銀行カード、装置コード、及び住所などに関係付けられた情報を有する。
【００２２】
本出願の一実施形態においては、クエリ媒体は、媒体ネットワーク内においてターゲットユーザのアカウントをクエリするべく使用される媒体を意味している。現在、これらの媒体とターゲットユーザのアカウントとの間の関連付けのための高い可能性が存在するものと判定することができる。従って、これらの媒体がターゲットユーザをクエリするべく使用される際には、精度が相対的に高い。実際的な一用途においては、ユーザをマッチングさせるべく検証済みである、或いは、唯一のものである、媒体をクエリ媒体として選択することができる。
【００２３】
本出願の実施形態による技術的解決策は、好ましくは、クエリ精度を改善するように、且つ、干渉する情報又は相対的に乏しく認識可能である情報をクエリ媒体として使用することによって生成されるクエリ結果の誤りを低減するように、二つを上回る数のクエリ媒体が後続の処理手順のために取得されることを必要としていることに更に留意されたい。クエリ媒体の数は、実際のシナリオのニーズに従って設定することが可能であり、且つ、その変化は、本出願の範囲に影響を及ぼすものではない。
【００２４】
ステップＳ１０２：クエリ媒体の情報に従って、クエリ媒体に関係付けられた少なくとも一つのユーザアカウント並びにクエリ媒体及び少なくとも一つのユーザアカウントの関係情報を媒体ネットワークからサーチ及び取得する。
【００２５】
ここで、ユーザアカウントの関係情報は、ユーザアカウントとクエリ媒体との間の関係の強度及びユーザアカウントとその他のユーザアカウントとの間の関係強度を有する。
【００２６】
媒体ネットワークは、ユーザアカウントの間の関連付け関係及びユーザアカウントと媒体との間の関連付け関係を有するネットワークであり、且つ、媒体ネットワークは、任意のユーザアカウントの間の関係の強度及びユーザアカウントと媒体との間の関係の強度を有することに留意されたい。
【００２７】
少なくとも二つのクエリ媒体の情報がステップＳ１０１において取得された場合には、このステップにおける動作は、それぞれ、少なくとも二つのクエリ媒体の情報を使用することにより、対応するクエリ媒体に関係付けられたユーザアカウント並びにクエリ媒体及びユーザアカウントの関係情報を媒体ネットワークからサーチ及び取得するステップとなる。
【００２８】
特定の一用途シナリオは、以下の進行選択肢を有し得ることに留意されたい。対応するクエリ媒体に関係付けられたユーザアカウント及びユーザアカウントの関係情報が媒体ネットワークから取得された場合には、方法は、少なくとも二つの媒体の情報が同一のユーザアカウントに属しているかどうかを判定するステップと、はいである場合に、判定されたユーザアカウントを信頼可能なアカウントとして使用するステップと、さもなければ、ステップＳ１０３を実行するステップと、を更に有することができる。
【００２９】
Ｓ１０３：取得された少なくとも一つのユーザアカウント及び少なくとも一つのユーザアカウントの関係情報を使用することにより、ローカル媒体ネットワークを構築する。
【００３０】
実際的な一用途シナリオにおいては、ローカル媒体ネットワークを構築するフローは、ユーザアカウントと媒体との間の同一発生関係（same-occurrence relationship）に従ってユーザアカウントと媒体との間の関係の強度を判定するステップと、ユーザの間の関係に従ってユーザアカウントの間の関係の強度を判定するステップと、というものであり、この場合に、ユーザの間の関係は、ユーザの間における社会関係、取引関係、共有装置関係、及び共有媒体関係を有する。
【００３１】
一例においては、ローカル媒体ネットワークは、頂点及びエッジを有し、ローカル媒体ネットワーク内の頂点は、媒体又はユーザアカウントを有し、ローカル媒体ネットワーク内のエッジは、媒体とユーザアカウントとの間の関係及びユーザアカウントとその他のユーザアカウントとの間の関係を有し、且つ、エッジ重みは、関係強度スコアである。
【００３２】
図２は、本出願の一実施形態による特定の一用途シナリオのために構築されたローカル媒体ネットワークの概略構造図であり、且つ、対応する構築プロセスは、以下のとおりである。
【００３３】
まず、媒体情報１、媒体情報２、媒体情報３、及び媒体情報４を取得する。
【００３４】
次いで、媒体ネットワーク内において、媒体情報１に従って対応するアカウントＡ及びＢを見出し、媒体情報２に従って対応するアカウントＡ及びＣを見出し、媒体情報３に従って対応するアカウントＢ及びＣを見出し、且つ、媒体情報４に従って対応するアカウントＤ及びＥを見出す。
【００３５】
最後に、媒体情報１、媒体情報２、媒体情報３、及び媒体情報４のみならず、媒体情報１に対応するアカウントＡ及びＢ、媒体情報２に対応するアカウントＡ及びＣ、媒体情報３に対応するアカウントＢ及びＣ、並びに、媒体情報４に対応するアカウントＤ及びＥに従ってローカル媒体ネットワークを構築するが、この場合に、媒体情報１、媒体情報２、媒体情報３、媒体情報４、アカウントＡ、アカウントＢ、アカウントＣ、及びアカウントＤは、異なる頂点であり、且つ、この図中の頂点を接続しているラインが、対応する頂点の間の関係を表すエッジである。
【００３６】
ステップＳ１０４：ローカル媒体ネットワークを使用することにより、少なくとも一つのユーザアカウントから信頼可能なアカウントを判定する。
【００３７】
一例においては、このステップにおける処理解決策は、ステップＳ１０３において構築されたローカルネットワークを使用することにより、少なくとも一つのユーザアカウントに対して混合ソートを実行し、且つ、ソート済みのユーザアカウントの最初のＮ個を信頼可能なアカウントとして判定するというものである。
【００３８】
一例において、実際的な一用途シナリオにおいては、上述の混合ソートの一実装形態は、以下のとおりである。
【００３９】
ステップ１：エッジ重みの正規化であり、ここでは、ローカル媒体ネットワーク内のすべてのエッジのエッジ重みが正規化され、即ち、ローカル媒体ネットワーク内において、エッジ重み情報正規化動作が、クエリ媒体のそれぞれの情報片の間において、且つ、ユーザアカウントの間において、オリジナルのエッジ重み情報に対して実行される。
【００４０】
上述のエッジ重み情報正規化動作は、以下の方式により、実装できることに更に留意されたい。
【００４１】
まず、第一の予め設定された回数内における、それぞれ、クエリ媒体の情報と対応するユーザアカウントとの間のオリジナルのエッジ重みの変化レートの情報及びユーザアカウントの間のオリジナルのエッジ重みの変化レートの情報を取得することができる。
【００４２】
変化レートの情報に従って、クエリ媒体の情報と対応するユーザアカウントとの間のオリジナルエッジ重みに対して、且つ、ユーザアカウントの間のオリジナルのエッジに対して、エッジ重み情報正規化動作を実行することができる。
【００４３】
実際的な一用途シナリオにおいては、以下の式を参照し、実装を実行することができる。
【００４４】
式Ｉ（論理回帰式）：
【数１】
2019504393.tif 000003
【００４５】
ここで、ｆ（ｘ）は、エッジ重み情報正規化動作が実行された後に取得されるエッジ重み値であり、ａｘにおけるｘは、オリジナルのエッジ重み値を表し、且つ、ａは、論理回帰式中の変数であり、これは、以下の式を通じて取得することができる。
【００４６】
式II（導出式）：
【数２】
2019504393.tif 000004
【００４７】
ここで、ｘ0は、オリジナルのエッジ重みの最小値を表し、ｘ99%は、エッジ重みの９９百分位数の値を表している。
【００４８】
ステップ２：エッジ重みの反復計算であり、ここでは、収束する時点まで、反復計算が正規化済みのエッジ重みに対して実行される。即ち、反復計算は、反復結果が収束する時点まで、ステップ１においてエッジ重み情報正規化動作から取得されたクエリ媒体の情報と対応するユーザアカウントとの間のエッジ重み及びユーザアカウントの間のエッジ重みに従って実行され、これにより、クエリ媒体の情報と対応するユーザアカウントとの間のエッジ重み及びユーザアカウントの間のエッジ重みが得られる。
【００４９】
容易な説明を目的として、ローカル媒体ネットワークがＧとして定義され、ｎは、Ｇ内のノードデータを表し、且つ、ａノードは、ユーザアカウント又は媒体であってもよい、という方式により、数学的なシンボルが定義されている。
【００５０】
実際的な一用途シナリオにおいては、上述の反復動作は、以下の式を参照して実行することができる。
【００５１】
式III（初期状態においては、これは、ｋ番目の反復におけるエッジ重み情報計算式である）
【数３】
2019504393.tif 000005
【００５２】
反復プロセスにおいては、以下の式IVを使用することにより、それぞれのエッジの重みが再計算されている（（ｋ＋１）番目の反復におけるエッジ重み情報計算式）。
【００５３】
式IV：
【数４】
2019504393.tif 000006
【００５４】
ここで、Ｒk（ａ，ｂ）は、ｋ番目の反復におけるノードａ及びノードｂのエッジ重み情報を表し、Ｒk+1（ａ，ｂ）は、（ｋ＋１）番目の反復におけるノードａ及びノードｂのエッジ重み情報を表し、Ｃは、収束レート制御パラメータ又は減衰係数を表し、｜Ｉ（ａ）｜は、ノードａの隣人リストのエッジ重み付け情報の合計を表し、｜Ｉ（ｂ）｜は、ノードｂの隣人リストのエッジ重み情報の合計を表し、ｉは、番号ｉを表し、ｊは、番号ｊを表し、Ｉi（ａ）は、ノードａの隣人リストの情報を表し、且つ、Ｉj（ｂ）は、ノードｂの隣人リストの情報を表している（ローカル媒体ネットワーク内において、媒体情報及び媒体情報に対応するアカウントは、ノードと呼称され、ノードに接続されているその他のノードは、ノードの隣人と呼称され、且つ、すべての隣人は、隣人リストと呼称される）。
【００５５】
反復計算をエッジ重みに対して実行する目的は、取得されたノードの間のエッジ重み情報が、無限に反復するのではなく、安定状態となる、即ち、収束する、ようにするということにあり、本実施形態においては、従って、予め設定された数の反復計算動作が実行された後に、取得されたノードの間のエッジ重み情報が、収束条件を満足しているかどうかを判定する必要があることに留意されたい。
【００５６】
本実施形態においては、取得されたノードの間のエッジ重み情報が収束条件を充足しているかどうかは、第一の予め設定された回数の反復計算動作が実行された後に、それぞれ、ユーザアカウントとクエリ媒体の対応する情報との間の新しいエッジ重みの第一の値の変化及びユーザアカウントの間のエッジ重みの第二の値の変化を取得するステップと、第一の値の変化及び第二の値の変化の合計が、予め設定された第一合計閾値を下回っているかどうかを判定するステップと、はいである場合に、反復計算動作を停止するステップと、いいえである場合に、反復計算動作を継続するステップと、という方式により、判定することができる。
【００５７】
ステップ３：総合重み情報の判定であって、ここでは、収束の後のエッジ重みを使用することにより、それぞれのユーザアカウントの総合重み又はそれぞれのクエリ媒体の総合重みを算出している。
【００５８】
ユーザアカウントの総合重み情報及びクエリ媒体の情報の総合重み情報は、ユーザアカウントの間のエッジ重み及びユーザアカウントと対応する媒体との間のエッジ重みに従って判定される。
【００５９】
実際的な一用途シナリオにおいては、次式を参照し、実装を実行することができる。
【００６０】
式Ｖ（媒体重み情報計算式）
【数５】
2019504393.tif 000007
【００６１】
ここで、Ｗ（ａ）は、媒体重みである。異なるクエリ媒体は、通常、異なる重みを有する。例えば、クエリ媒体として、ＩＤは、通常、セル電話クエリのものよりも信頼可能な結果を有し、且つ、従って、相対的に大きな重みを有する。異なるタイプのクエリ媒体は、異なる精度（コンフィデンスレベル）をユーザクエリにおいて有していることから、その重みは、異なることを要する。媒体重みは、通常、サービス経験及び理解に従って割り当てられる。従って、異なる媒体重みが異なる媒体タイプに従って設定される。
【００６２】
式VI（それぞれのユーザアカウントごとの総合重み情報計算式）
【数６】
2019504393.tif 000008
【００６３】
ここで、ｕは、ローカル媒体ネットワーク内のユーザアカウントｕを表し、Ｓは、ユーザアカウントｕに対応する媒体情報によって形成された媒体情報セットＳを表し、且つ、Ｓｃｏｒｅ（ｕ）は、ユーザアカウントｕの総合重み情報を表し、
Ｗ（ａ）＊Ｒ（ａ，ｕ）は、ユーザアカウントｕとその対応するそれぞれの媒体情報片との間のエッジ重み情報を表し、
Ｗ（ａ）＊Ｗ（ｂ）＊Ｒ（ａ，ｂ）は、ユーザアカウントｕに対応する媒体情報の間のエッジ重み情報を表している。
【００６４】
ステップ４：総合重みのソートであり、ここでは、ステップ３において取得されたユーザアカウントの総合重み又はクエリ媒体の総合重みに従ってユーザアカウント又はクエリ媒体をソートすることにより、信頼可能なアカウント又は信頼可能な媒体を判定している。
【００６５】
一例においては、ローカルな媒体ネットワークを使用することにより、少なくとも一つのユーザアカウントに対して混合ソートを実行することが可能であり、且つ、ソート済みのユーザアカウントの最初のＮ個を信頼可能なアカウントとして判定することが可能であり、この場合に、Ｎは、正の整数である。
【００６６】
Ｎは、実際のシナリオのニーズに従って設定される数値であってもよく、例えば、Ｎ＝１である。第一位にランク付けされたユーザアカウントは、最も信頼可能なアカウントであり、ここで、信頼度値は、ユーザアカウントの総合重みスコアである。最も信頼可能なアカウントに関係付けられた媒体は、信頼可能な媒体であり、且つ、同様に、信頼度値は、媒体の総合重みスコアである。
【００６７】
信頼可能な媒体の判定との関連において、信頼可能なユーザに関係付けられた媒体は、信頼可能な媒体であると直接的に判定することが可能であり、且つ、媒体は、信頼可能なアカウントに属している。
【００６８】
非信頼可能な媒体が存在しており、且つ、非信頼可能な媒体と信頼可能な媒体との間の類似性（Ｒ）の程度が閾値（例えば、０．０１）を下回っている場合には、この媒体は、信頼不能である、即ち、媒体は、信頼可能なアカウントに属してはいないものと見なされる。
【００６９】
ステップＳ１０５：ユーザデータを共有するように、信頼可能なアカウントのユーザデータを取得し、且つ、信頼可能なアカウントのユーザデータをクエリ媒体の情報に対応するユーザデータとして出力する。
【００７０】
実際的な一用途シナリオにおいては、ユーザデータ共有を実装するための動作方式は、ユーザ活動情報を共有するように、信頼可能なアカウントに対応する少なくとも二つの媒体情報片に従って、且つ、異なるデータベースから、異なるデータベース内において記録された信頼可能なアカウントに対応するユーザのユーザ活動情報を取得するステップを有することができる。
【００７１】
本実施形態における好適なステップとして、信頼可能なアカウントに対応する少なくとも二つの媒体情報片に従って、且つ、異なるデータベースから、異なるデータベース内において記録された信頼可能なアカウントに対応するユーザのユーザ活動情報を取得した後に、信頼可能なアカウントに対応するその他の媒体情報を上述のローカル媒体ネットワークから更に取得することが可能であり、且つ、この媒体情報は、非信頼可能な媒体情報として使用される。非信頼可能な媒体情報は、信頼不能な媒体情報ではないことに留意されたい。従って、非信頼可能な媒体情報が、信頼不能な媒体情報であるかどうかを判定する必要がある。
【００７２】
一例においては、非信頼可能な媒体情報が信頼不能な媒体情報であるかどうかを以下の方式によって判定することができる。
【００７３】
ステップＡ：非信頼可能な媒体情報と信頼可能なアカウントに対応する媒体情報との間の類似性の程度を取得する。
【００７４】
ここで、類似性の程度は、非信頼可能な媒体情報と関係付けられた信頼可能な媒体情報との間の同一の隣接エッジの数に対応し得る。
【００７５】
好ましくは、非信頼可能な媒体情報と関係付けられた信頼可能な媒体情報との間の同一の隣接エッジの相対的に大きな数は、非信頼可能な媒体情報と信頼可能なアカウントに対応する媒体情報との間の類似性の相対的に高い程度を通知している。逆に、相対的に小さな数は、相対的に低い類似性の程度を通知している。
【００７６】
実際的な一用途においては、信頼可能な媒体を直接的に判定することが可能であり、且つ、信頼可能な媒体は、信頼可能なアカウントに属している。非信頼可能な媒体が存在しており、且つ、非信頼可能な媒体と信頼可能な媒体との間の類似性の程度（Ｒ）が閾値（例えば、０．０１）を下回っている場合には、この媒体は、信頼不能である、即ち、媒体は、信頼可能なアカウントに属してはいないものと見なされる。
【００７７】
ステップＢ：類似性の程度を予め設定された類似性の程度の閾値と比較する。
【００７８】
ステップＣ：予め設定された類似性の程度の閾値を下回る類似性の程度を有する非信頼可能な媒体情報を信頼不能な媒体情報として取り扱う。
【００７９】
その一方において、異なる媒体情報とアカウントとの間のエッジ重み情報は、異なっている。例えば、ＩＤは、通常、セル電話機が有するものよりも信頼可能なユーザクエリ結果を有し、且つ、従って、ＩＤは、相対的に大きな重みを有する。これに加えて、異なるタイプの媒体情報は、異なる精度（コンフィデンスレベル）をユーザクエリにおいて有していることから、そのエッジ重み情報は、異なる必要がある。従って、信頼可能なアカウントに対応する少なくとも二つの媒体情報片に従って、且つ、異なるデータベースから、異なるデータベース内において記録された信頼可能なアカウントに対応するユーザのユーザ活動情報を取得した後に、信頼可能なアカウントに対応するそれぞれの媒体情報片と信頼可能なアカウントとの間の関係の強度を更に判定することが可能であり、且つ、この関係強度は、媒体情報によるユーザクエリの精度を意味している。一例においては、以下の方式により、実装を実行することができる。
【００８０】
ステップＡ：それぞれ、信頼可能なアカウントに対応するそれぞれの媒体情報片の第二の総合エッジ重み情報を取得するステップであって、この場合に、第二の総合エッジ重み情報は、それぞれの媒体情報片と媒体情報の対応するアカウントによって形成されたアカウントとの間の総合エッジ重み情報である。
【００８１】
一例においては、上述の第二の総合エッジ重み情報は、以下の方式にって判定することができる。
【００８２】
式VII（第二総合エッジ重み情報計算式）
【数７】
2019504393.tif 000009
【００８３】
ここで、ｍは、ローカル媒体ネットワーク内の媒体情報ｍを表し、Ｋは、媒体情報ｍに対応するアカウントによって形成されたアカウントセットＫを表し、且つ、Ｓｃｏｒｅ（ｍ）は、第二の総合エッジ重み情報を表し、Ｓｃｏｒｅ（ａ）＊Ｒ（ａ，ｍ）は、媒体情報ｍとそのそれぞれの対応するユーザとの間のエッジ重み情報を表し、Ｓｃｏｒｅ（ａ）＊Ｓｃｏｒｅ（ｂ）＊Ｒ（ａ，ｂ）は、媒体情報ｍに対応するユーザの間のエッジ重み情報を表している。
【００８４】
ステップＢ：第二の総合エッジ重み情報をソートする。
【００８５】
ステップＣ：ソート結果に従って、それぞれの媒体情報片と信頼可能なアカウントとの間の関係の強度を判定する。
【００８６】
従来技術との比較において、本出願の実施形態は、本出願の実施形態がユーザデータ共有方法及び装置を開示しているという利点を少なくとも有する。方法は、取得されたクエリ媒体の情報に従って、少なくとも一つの関係付けられたユーザアカウント及び少なくとも一つの関係付けられたユーザアカウントの関係情報を取得するステップと、クエリを通じて取得された情報を使用することにより、ローカル媒体ネットワークを構築するステップと、ローカル媒体ネットワークを使用することにより、少なくとも一つのユーザアカウントから信頼可能なアカウントを判定するステップと、信頼可能なアカウントのユーザデータを取得するステップと、ユーザデータを共有するように、信頼可能なアカウントのユーザデータをクエリ媒体の情報に対応するユーザデータとして出力するステップと、を有する。従って、同一のユーザエンティティとの関係におけるユーザ活動情報が異なるサービスプラットフォームの間において伝達され、且つ、ユーザ活動情報が共有される。
【００８７】
上述の方法と同一の発明概念に基づいて、本発明の実施形態IIは、図３に示されているように、ネットワーク装置を更に提供し、ネットワーク装置は、
クエリ媒体の情報を取得するように構成された取得モジュール３１と、
取得モジュール３１によって取得されたクエリ媒体の情報に従って、クエリ媒体に関係付けられた少なくとも一つのユーザアカウント及び少なくとも一つのユーザアカウントの関係情報を媒体ネットワークからサーチ及び取得するように構成されたクエリモジュール３２であって、ユーザアカウントの関係情報は、ユーザアカウントとクエリ媒体との間の関係の強度及びユーザアカウントとその他のユーザアカウントとの間の関係の強度を有する、クエリモジュールと、
クエリモジュール３２によって取得された少なくとも一つのユーザアカウント及び少なくとも一つのユーザアカウントの関係情報を使用することにより、ローカル媒体ネットワークを構築するように構成された構築モジュール３３であって、ローカル媒体ネットワーク内のエッジは、媒体とユーザアカウントとの間の関係及びユーザアカウントとその他のユーザアカウントとの間の関係を有し、且つ、エッジ重みは、関係強度スコアである、構築モジュールと、
ローカル媒体ネットワークを使用することにより、少なくとも一つのユーザアカウントから信頼可能なアカウントを判定するように構成された判定モジュール３４と、
ユーザデータを共有するように、信頼可能なアカウントのユーザデータを取得し、且つ、信頼可能なアカウントのユーザデータをクエリ媒体の情報に対応するユーザデータとして出力するように構成された処理モジュール３５と、
を有する。
【００８８】
実際的な一用途シナリオにおいては、判定モジュール３４は、ローカル媒体ネットワークを使用することにより、少なくとも一つのユーザアカウントに対して混合ソートを実行すると共にソート済みのユーザアカウントの最初のＮ個を信頼可能なアカウントとして判定するように構成されており、ここで、Ｎは、正の整数である。
【００８９】
ここで、判定モジュール３４は、
ローカル媒体ネットワーク内のすべてのエッジのエッジ重みを正規化するように構成された正規化ユニットと、
収束する時点まで、正規化ユニットによって正規化されたエッジ重みに対して反復計算を実行するように構成された反復ユニットと、
反復ユニットによる収束の後に、エッジ重みを使用することにより、それぞれのユーザアカウントの総合重み又はそれぞれのクエリ媒体の総合重みを算出するように構成された計算ユニットと、
計算ユニットによって算出されたすべてのユーザアカウントの総合重み又はすべてのクエリ媒体の総合重みに従って少なくとも一つのユーザアカウント又はすべてのクエリ媒体をソートすると共に信頼可能なアカウント又は信頼可能な媒体を判定するように構成されたソートユニットと、
を有する。
【００９０】
好ましくは、取得モジュール３１は、少なくとも二つのクエリ媒体の情報を取得するように構成され、クエリモジュール３２は、例えば、それぞれ、少なくとも二つのクエリ媒体の情報を使用することにより、対応するクエリ媒体に関係付けられたユーザアカウント及びユーザアカウントの関係情報を媒体ネットワークからサーチ及び取得するように構成されている。
【００９１】
対応する方式により、構築モジュール３３は、少なくとも二つのクエリ媒体の情報が同一のユーザアカウントに属しているかどうかを判定し、はいである場合には、判定されたユーザアカウントを信頼可能なアカウントとして使用し、さもなければ、取得された少なくとも一つのユーザアカウント及び少なくとも一つのユーザアカウントの関係情報を使用することにより、ローカル媒体ネットワークを構築するように構成されている。
【００９２】
従来技術との比較において、本出願の実施形態は、本出願の実施形態がユーザデータ共有方法及び装置を開示しているという利点を少なくとも有する。方法は、取得されたクエリ媒体の情報に従って、少なくとも一つの関係付けられたユーザアカウント及び少なくとも一つの関係付けられたユーザアカウントの関係情報をクエリするステップと、クエリを通じて取得された情報を使用することにより、ローカル媒体ネットワークを構築するステップと、ローカル媒体ネットワークを使用することにより、少なくとも一つのユーザアカウントから信頼可能なアカウントを判定するステップと、信頼可能なアカウントのユーザデータを取得するステップと、ユーザデータを共有するように、信頼可能なアカウントのユーザデータをクエリ媒体の情報に対応するユーザデータとして出力するステップと、を有する。従って、同一のユーザエンティティとの関係におけるユーザ活動情報が、異なるサービスプラットフォームの間において伝達され、且つ、ユーザ活動情報が共有される。
【００９３】
上述の実装の方式の説明に従って、当業者は、本出願の実施形態が、ハードウェアにより、或いは、ソフトウェアに、必要な一般的なハードウェアプラットフォームを加えたものにより、実装され得ることを明らかに理解することができる。このような理解に基づいて、本出願の実施形態の技術的解決策は、ソフトウェアプロダクトの形態において実施することができる。ソフトウェアプロダクトは、コンピュータ装置（パーソナルコンピュータ、サーバ、又はネットワークサイド装置であってもよい）が本発明の実施形態のすべての実装シナリオにおいて記述されている方法を実行することを可能にするいくつかの命令を有する不揮発性ストレージ媒体（ＣＤ−ＲＯＭ、フラッシュドライブ、モバイルハードドライブ、及びこれらに類似したものであってもよい）内において保存することができる。
【００９４】
当業者は、添付図面が、好適な実装シナリオの例示に過ぎず、且つ、添付図面におけるモジュール又はフローが、必ずしも、本発明の実施形態の実装において必要とはされない場合があることを理解するであろう。
【００９５】
当業者は、実装シナリオにおける装置内のモジュールが、実装シナリオの説明に従って実装シナリオの装置内において分散されることが可能であり、或いは、本実装シナリオとは異なる一つ又は複数の装置上において配設されるように、対応する変形を経験し得ることを理解するであろう。上述の実装シナリオにおけるモジュールは、一つのモジュールとして組み合わせることも可能であり、或いは、複数のサブモジュールとして更に分離することもできる。
【００９６】
本発明の実施形態の上述の序数は、説明を目的としたものに過ぎず、且つ、実装シナリオの利点又は欠点を表すものではない。
【００９７】
以上においては、本発明の実施形態のいくつかの特定の実装シナリオについてのみ、開示している。但し、本発明の実施形態は、これによって限定されるものではない。当業者が想定し得るすべての変形が本発明の実施形態の範囲に含まれる。
【図１】
2019504393.tif 000010
【図２】
2019504393.tif 000011
【図３】
2019504393.tif 000012
【国際調査報告】
2019504393.tif 000013
2019504393.tif 000014
2019504393.tif 000015
2019504393.tif 000016